(57)【要約】【課題】電気集塵装置において、粉塵濃度の低いガスであっても粒子状物質を確実に捕集して捕集性能の向上を図る。【解決手段】ケーシング１１内に第１集塵部１４及び第２集塵部１５を所定間隔をもって配設し、第１集塵部１４を複数の集塵極１６の間に放電極１７が長手方向ほぼ全域にわたって配設して構成する一方、第２集塵部１５を複数の集塵極２０の間に複数の放電極２１を長手方向ほぼ全域にわたって配設して構成し、各放電極１７，２１に高圧電源２４が接続する。【選択図】        図１
2004160286.tif 000002
【特許請求の範囲】
【請求項１】
ガス導入口とガス排出口を有する中空形状をなすケーシング内に、ガス流れ方向に沿って集塵極を配設すると共に、該集塵極に対向して該集塵極のほぼ全域にわたって放電極を配設したことを特徴とする電気集塵装置。
【請求項２】
請求項１記載の電気集塵装置において、前記放電極は、棒状電極に複数の針状突起が取付けられて構成されたことを特徴とする電気集塵装置。
【請求項３】
請求項１記載の電気集塵装置において、前記集塵極と前記放電極とから構成される集塵部を、前記ケーシング内にガス流れ方向に沿って複数所定間隔で配設したことを特徴とする電気集塵装置。
【請求項４】
請求項３記載の電気集塵装置において、ガス流れ方向下流側の前記集塵部における前記集塵極と前記放電極の間隔を、ガス流れ方向上流側の前記集塵部における前記集塵極と前記放電極の間隔より小さく設定したことを特徴とする電気集塵装置。
【請求項５】
請求項１記載の電気集塵装置において、ガス流れ方向上流側の前記集塵部における前記集塵極及び前記放電極と、ガス流れ方向下流側の前記集塵部における前記集塵極及び前記放電極とを、ガス流れ方向に交差する方向にずらして配設したことを特徴とする電気集塵装置。
【請求項６】
請求項１記載の電気集塵装置において、前記集塵極と前記放電極とから構成される集塵部のガス流れ方向上流側に予備荷電部を設けたことを特徴とする電気集塵装置。
【請求項７】
請求項６記載の電気集塵装置において、前記予備荷電部は、ガス流れ方向にほぼ直交する方向に配設されたメッシュ状集塵極と、該メッシュ状集塵極のガス流れ方向上流側に配設された放電極とを有することを特徴とする電気集塵装置。
【請求項８】
請求項１記載の電気集塵装置において、前記集塵極と前記放電極とから構成される集塵部のガス流れ方向下流側に再捕集部を設けたことを特徴とする電気集塵装置。
【請求項９】
請求項８記載の電気集塵装置において、前記再捕集部は、ガス流れ方向にほぼ直交する方向に配設されたメッシュ状集塵極と、該メッシュ状集塵極のガス流れ方向下流側に配設された放電極とを有することを特徴とする電気集塵装置。
【請求項１０】
請求項１記載の電気集塵装置において、前記放電極にガス流れ方向に所定間隔をもって複数の第１放電部を設ける一方、前記集塵極の該第１放電部に対向しない位置にガス流れ方向に所定間隔をもって複数の第２放電部を設けたことを特徴とする電気集塵装置。
【発明の詳細な説明】
【０００１】
【発明の属する技術分野】
本発明は、微細な粒子状物質を含有するガスからこの粒子状物質を捕集する電気集塵装置に関し、特に、この粒子状物質が低濃度で含有する排気ガスに対して適用するトンネル用電気集塵装置に対して好適である。
【０００２】
【従来の技術】
一般的な電気集塵装置は、ガスの通路に複数の集塵極と放電極とを交互に設け、両者の間に高電圧をかけることでイオンを発生させ、帯電したガス中の粒子（ダスト）を電気力によって対向する集塵極へ引きつけて捕集するものである。そのため、ガスの圧力損失が少なく、メンテナンスが容易であるなどの長所がある。このような従来の電気集塵装置としては下記に記載した特許文献１がある。
【０００３】
この特許文献１の記載した電気集塵装置は、電荷を与える電離部と集塵を行う電界部とにより構成される二段式であって、電離部放電電極をガス流れ方向に向けて突出する鋸刃状突起を均一に設けた平板状とし、電離部放電電極と電離部集塵電極の間隔を、電界部放電電極と電界部集塵電極の間隔より大きくたものである。従って、鋸刃状突起により均一なコロナ放電を供給することで安定した性能を得ることができ、また、電離部と電界部の各電極の間隔を異ならせることで低濃度粒子状物質の捕集性能を向上することができる。
【０００４】
【特許文献１】
特許第３２５４１３４号（第３頁−第４頁、図１−図４）
【０００５】
【発明が解決しようとする課題】
上述した従来の電気集塵装置は、電荷を与える電離部と集塵を行う電界部とにより構成される二段式となっており、上流側の電離部放電電極における鋸刃状突起からコロナ放電して粒子状物質を帯電させ、下流側の電離部集塵電極により帯電した粒子状物質を捕集している。この場合、コロナ放電する鋸刃状突起が電離部放電電極の前側一箇所（あるいは前後二箇所）だけであり、電離部が短いものとなっている。そのため、粉塵濃度の低いガスの場合、粒子状物質の一部が放電領域をすり抜けてしまうことがあり、高い捕集効率を得ることができない。
【０００６】
本発明はこのような問題を解決するものであって、粉塵濃度の低いガスであっても粒子状物質を確実に捕集して捕集性能の向上を図った電気集塵装置を提供することを目的とする。
【０００７】
【課題を解決するための手段】
上述の目的を達成するための請求項１の発明の電気集塵装置は、ガス導入口とガス排出口を有する中空形状をなすケーシング内に、ガス流れ方向に沿って集塵極を配設すると共に、該集塵極に対向して該集塵極のほぼ全域にわたって放電極を配設したことを特徴ものである。
【０００８】
請求項２の発明の電気集塵装置では、前記放電極は、棒状電極に複数の針状突起が取付けられて構成されたことを特徴としている。
【０００９】
請求項３の発明の電気集塵装置では、前記集塵極と前記放電極とから構成される集塵部を、前記ケーシング内にガス流れ方向に沿って複数所定間隔で配設したことを特徴としている。
【００１０】
請求項４の発明の電気集塵装置では、ガス流れ方向下流側の前記集塵部における前記集塵極と前記放電極の間隔を、ガス流れ方向上流側の前記集塵部における前記集塵極と前記放電極の間隔より小さく設定したことを特徴としている。
【００１１】
請求項５の発明の電気集塵装置では、ガス流れ方向上流側の前記集塵部における前記集塵極及び前記放電極と、ガス流れ方向下流側の前記集塵部における前記集塵極及び前記放電極とを、ガス流れ方向に交差する方向にずらして配設したことを特徴としている。
【００１２】
請求項６の発明の電気集塵装置では、前記集塵極と前記放電極とから構成される集塵部のガス流れ方向上流側に予備荷電部を設けたことを特徴としている。
【００１３】
請求項７の発明の電気集塵装置では、前記予備荷電部は、ガス流れ方向にほぼ直交する方向に配設されたメッシュ状集塵極と、該メッシュ状集塵極のガス流れ方向上流側に配設された放電極とを有することを特徴としている。
【００１４】
請求項８の発明の電気集塵装置では、前記集塵極と前記放電極とから構成される集塵部のガス流れ方向下流側に再捕集部を設けたことを特徴としている。
【００１５】
請求項９の発明の電気集塵装置では、前記再捕集部は、ガス流れ方向にほぼ直交する方向に配設されたメッシュ状集塵極と、該メッシュ状集塵極のガス流れ方向下流側に配設された放電極とを有することを特徴としている。
【００１６】
請求項１０の発明の電気集塵装置では、前記放電極にガス流れ方向に所定間隔をもって複数の第１放電部を設ける一方、前記集塵極の該第１放電部に対向しない位置にガス流れ方向に所定間隔をもって複数の第２放電部を設けたことを特徴としている。
【００１７】
【発明の実施の形態】
以下、図面に基づいて本発明の実施の形態を詳細に説明する。
【００１８】
図１に本発明の第１実施形態に係る電気集塵装置の概略構成、図２に第１実施形態の電気集塵装置の作用を表す説明を示す。
【００１９】
第１実施形態の電気集塵装置は、粒子状物質が低濃度で含有する排気ガスに対して有効であり、自動車用トンネル内に装着される電気集塵機として設けられている。この場合、低濃度とは、排気ガス中の粒子状物質の含有率が０．１ｍｇ／ｍ３  以下の場合を表している。この第１実施形態の電気集塵装置において、図１及び図２に示すように、箱型形状をなすケーシング１１の一方にはガス導入口１２が形成され、他方にはガス排出口１３が形成されている。そして、このケーシング１１内には、ガス流れ方向上流側にガス導入口１２に近接した第１集塵部１４と、ガス流れ方向下流側にガス排出口１３に近接した第２集塵部１５とが所定間隔をもって配設されている。
【００２０】
この第１集塵部１４は、ガス流れ方向に沿って板形状をなす複数の集塵極１６が所定間隔を持って配設されると共に、ガス流れ方向に沿って各集塵極１６に対向する位置、つまり、各集塵極１６の間に位置して複数の放電極１７が配設されて構成されている。本実施形態の放電極１７は、縦方向に長い棒状電極１８に複数の針状突起１９が取付けられて構成されており、この放電極１７は集塵極１６の長手方向のほぼ全域にわたって配設されている。
【００２１】
この第２集塵部１５も第１集塵部１４とほぼ同様の構成をなし、ガス流れ方向に沿って板形状をなす複数の集塵極２０が所定間隔を持って配設されると共に、ガス流れ方向に沿って各集塵極２０に対向する位置、つまり、各集塵極２０の間に位置して複数の放電極２１が配設されて構成されている。この放電極２１は、縦方向に長い棒状電極２２に複数の針状突起２３が取付けられて構成されており、この放電極２１は集塵極２０の長手方向のほぼ全域にわたって配設されている。
【００２２】
この第１集塵部１４と第２集塵部１５とは所定間隔をもって配設されているが、集塵極１６，２０と放電極１７，２１との間隔をＰとすると、その２倍、つまり、２Ｐ以上の間隔をとることが望ましい。そして、各放電極１７，２１には高圧電源２４が接続されており、この高圧電源２４により放電極１７，２１に負（または正）の高電圧を印加することができる。
【００２３】
このように構成された本実施形態の電気集塵装置にて、高圧電源２４により第１集塵部１４及び第２集塵部１５の各放電極１７，２１に高電圧を印加すると、各放電極１７，２１と各集塵極１６，２０との間にイオンを発生してコロナ放電が開始される。この場合、各集塵極１６，２０の長手方向のほぼ全域にわたって各放電極１７，２１が配設されているため、第１集塵部１４及び第２集塵部１５の全領域でコロナ放電される。
【００２４】
そのため、ガス導入口１２からケーシング１１内に流入した含塵空気としての排ガスは、まず、第１集塵部１４に到達し、排ガス中の粒子状物質が放電極１７と集塵極１６との間で帯電され、帯電した粒子状物質は電気力によって対向する集塵極１６へ引きつけられて捕集される。そして、第１集塵部１４を通過した排ガスは第２集塵部１５に到達し、排ガス中に残留する粒子状物質が放電極２１と集塵極２０との間で帯電され、帯電した粒子状物質は電気力によって対向する集塵極２０へ引きつけられて捕集される。その後、含有した粒子状物質が捕集された排ガスは清浄空気としてガス排出口１３から外部に排出される。
【００２５】
このように本実施形態の電気集塵装置にあっては、ケーシング１１内に第１集塵部１４及び第２集塵部１５を所定間隔をもって配設し、第１集塵部１４を複数の集塵極１６の間に放電極１７が長手方向ほぼ全域にわたって配設して構成する一方、第２集塵部１５を複数の集塵極２０の間に複数の放電極２１を長手方向ほぼ全域にわたって配設して構成し、各放電極１７，２１に高圧電源２４が接続している。
【００２６】
従って、第１集塵部１４及び第２集塵部１５では、放電極１７，２１と集塵極１６，２０の全領域でコロナ放電されることとなり、排ガス中の粒子状物質を確実に帯電して集塵極１６，２１で捕集することができ、粉塵濃度の低い排ガスであっても含有する粒子状物質を確実に捕集して捕集性能を向上することができる。また、第１集塵部１４と第２集塵部１５とは、集塵極１６，２０と放電極１７，２１との間隔Ｐの２倍、つまり、２Ｐ以上の間隔であるため、第１集塵部１４を通過した排ガスに残留する粒子状物質を第２集塵部１５で確実に捕集することができる。
【００２７】
図３に本発明の第２実施形態に係る集塵装置の概略構成、図４に本発明の第３実施形態に係る集塵装置の概略構成、図５に本発明の第４実施形態に係る集塵装置の概略構成、図６に本発明の第５実施形態に係る集塵装置の概略構成、図７に本発明の第６実施形態に係る集塵装置の概略構成、図８に本発明の第７実施形態に係る集塵装置の概略構成を示す。なお、前述した実施形態で説明したものと同様の機能を有する部材には同一の符号を付して重複する説明は省略する。
【００２８】
第２実施形態の電気集塵装置において、図３に示すように、ケーシング１１内には第１集塵部１４と第２集塵部１５とが所定間隔をもって配設されており、第１集塵部１４は、複数の集塵極１６の間に放電極１７がほぼ全域にわたって配設されて構成され、第２集塵部１５は、複数の集塵極２０の間に放電極２１がほぼ全域にわたって配設されて構成されており、各放電極１７，２１に図示しない高圧電源が接続されている。そして、本実施形態では、第２集塵部１５における集塵極２０と放電極２１の間隔を、第１集塵部１４における集塵極１６と放電極１１の間隔より小さく設定している。
【００２９】
従って、第２実施形態の電気集塵装置では、第１集塵部１４を通過した排ガスが第２集塵部１５に到達したとき、この排ガス中に残留する粒子状物質は、第２集塵部１５における狭い放電領域を通ることで、確実に帯電して集塵極２０に捕集されることができ、粒子状物質の捕集性能を一層向上することができる。
【００３０】
第３実施形態の電気集塵装置において、図４に示すように、ケーシング１１内には第１集塵部１４と第２集塵部１５とが所定間隔をもって配設されており、第１集塵部１４は、複数の集塵極１６の間に放電極１７がほぼ全域にわたって配設されて構成され、第２集塵部１５は、複数の集塵極２０の間に放電極２１がほぼ全域にわたって配設されて構成されており、各放電極１７，２１に図示しない高圧電源が接続されている。そして、本実施形態では、第１集塵部１４における集塵極１６と放電極１１の位置と、第２集塵部１５における集塵極２０と放電極２１の位置を、ガス流れ方向に交差する左右方向にＰ／２だけずらして配設している。
【００３１】
従って、第３実施形態の電気集塵装置では、第１集塵部１４を通過した排ガスが第２集塵部１５に到達したとき、この排ガス中に残留する粒子状物質は、第２集塵部１５における集塵極２０あるいは放電極２１の近傍を通ることで、確実に帯電して捕集されることができ、粒子状物質の捕集性能を一層向上することができる。
【００３２】
第４実施形態の電気集塵装置において、図５に示すように、ケーシング１１内には、交互に配設された集塵極１６と放電極１７を有する第１集塵部１４と、交互に配設された集塵極２０と放電極２１を有する第２集塵部１５とが所定間隔をもって配設されており、各放電極１７，２１に図示しない高圧電源が接続されている。そして、本実施形態では、第１集塵部１４のガス流れ方向の上流側に予備荷電部３１が配設されている。この予備荷電部３１は、ガス流れ方向にほぼ直交する方向に配設されたメッシュ状集塵極３２と、メッシュ状集塵極３２のガス流れ方向の上流側に配設された放電極３３とから構成され、この放電極３３に図示しない高圧電源が接続されている。
【００３３】
従って、第４実施形態の電気集塵装置では、高圧電源により予備荷電部３１の放電極３３並びに第１集塵部１４及び第２集塵部１５の各放電極１７，２１に高電圧を印加すると、メッシュ状集塵極３２との間並びに集塵極１６，２０との間にイオンを発生してコロナ放電が開始される。そして、ガス導入口１２からケーシング１１内に流入した排ガスは、予備荷電部３１のメッシュ状集塵極３２を通過するときに、排ガス中の粒子状物質が予備荷電されるため、第１集塵部１４及び第２集塵部１５に到達したとき、帯電した排ガス中の粒子状物質を確実に集塵極２０に捕集することができる。
【００３４】
第５実施形態の電気集塵装置において、図６に示すように、ケーシング１１内には、交互に配設された集塵極１６と放電極１７を有する第１集塵部１４と、交互に配設された集塵極２０と放電極２１を有する第２集塵部１５とが所定間隔をもって配設されており、各放電極１７，２１に図示しない高圧電源が接続されている。そして、本実施形態では、第２集塵部１５のガス流れ方向の下流側に再捕集部４１が配設されている。この再捕集部４１は、ガス流れ方向にほぼ直交する方向に配設されたメッシュ状集塵極４２と、メッシュ状集塵極４２のガス流れ方向の上流側に配設された放電極４３とから構成され、この放電極４３に図示しない高圧電源が接続されている。
【００３５】
従って、第５実施形態の電気集塵装置では、高圧電源により再捕集部４１の放電極４３並びに第１集塵部１４及び第２集塵部１５の各放電極１７，２１に高電圧を印加すると、メッシュ状集塵極４２との間並びに集塵極１６，２０との間にイオンを発生してコロナ放電が開始される。そして、ガス導入口１２からケーシング１１内に流入した排ガスは、第１集塵部１４及び第２集塵部１５を通過したときに、排ガス中の粒子状物質が帯電し、集塵極１７，２０に捕集されることとなる。その後、排ガスが再捕集部４１のメッシュ状集塵極４２を通過するときに、この排ガス中に残留した粒子状物質が再荷電されるため、帯電した排ガス中の粒子状物質をメッシュ状集塵極４２で確実に捕集することができる。
【００３６】
第６実施形態の電気集塵装置では、図７に示すように、第１集塵部１４のガス流れ方向の上流側に予備荷電部３１が配設されると共に、第２集塵部１５のガス流れ方向の下流側に再捕集部４１が配設されている。
【００３７】
従って、ガス導入口１２からケーシング１１内に流入した排ガスは、予備荷電部３１のメッシュ状集塵極３２を通過して粒子状物質が予備荷電されるため、第１集塵部１４及び第２集塵部１５で帯電した排ガス中の粒子状物質を確実に集塵極２０に捕集することができ、また、排ガスが再捕集部４１のメッシュ状集塵極４２を通過するときに、この排ガス中に残留した粒子状物質を確実に捕集することができる。
【００３８】
第７実施形態の電気集塵装置において、図８に示すように、ケーシング１１内には、第１集塵部５１と、第２集塵部５２とが所定間隔をもって配設されている。第１集塵部５１は、複数の集塵極５３と放電極５４とが交互に配設され、放電極５４に棒状電極と針状突起からなる複数の第１放電部５４ａがガス流れ方向に所定間隔をもって両面に交互に設けられる一方、集塵極５３に棒状電極と針状突起からなる複数の第２放電部５３ａがガス流れ方向に所定間隔をもって両面に交互に、且つ、第１放電部５４ａと対向しない位置に設けられている。また、第２集塵部５２は、複数の集塵極５５と放電極５６とが交互に配設され、放電極５６に棒状電極と針状突起からなる複数の第１放電部５６ａがガス流れ方向に所定間隔をもって両面に交互に設けられる一方、集塵極５５に棒状電極と針状突起からなる複数の第２放電部５５ａがガス流れ方向に所定間隔をもって両面に交互に、且つ、第１放電部５６ａと対向しない位置に設けられている。そして、各放電極５４，５６の第１放電部５４ａ，５６ａに図示しない高圧電源（負）が接続されると共に、各集塵極５３，５５の第２放電部５３ａ，５５ａに高圧電源（正）が接続されている。
【００３９】
従って、第７実施形態の電気集塵装置では、高圧電源により放電極５４，５６の第１放電部５４ａ，５６ａに負の高電圧が印加され、集塵極５３，５５の第２放電部５３ａ，５５ａに正の高電圧が印加されると、各放電極５４，５６と各集塵極５３，５５との間にイオンを発生して負と正の放電領域が形成される。そのため、ガス導入口１２からケーシング１１内に流入した排ガスは、第１集塵部５１及び第２集塵部５２で負と正の高電圧が交互に帯電され、帯電した粒子状物質は放電領域を蛇行しながら近傍の集塵極５３，５５へ引きつけられて捕集されることとなり、粒子状物質同志の衝突凝集効果を高めることで、粉塵濃度の低い排ガスであっても含有する粒子状物質を確実に捕集して捕集性能を向上することができる。
【００４０】
なお、上述した各実施形態では、ケーシング内に第１集塵部と第２集塵部とを所定間隔をもって配設した２室式の電気集塵機として説明したが、必要に応じてケーシング内に一つの集塵部を配設した１室式の電気集塵機としてもよい。また、放電極を縦方向に長い棒状電極に複数の針状突起が取付けられて構成したが、り、棒状電極は丸棒や角棒などでよく、針状突起の取付位置、取付方向、取付数などは実施形態に限定されるものではない。
【００４１】
また、本発明の電気集塵装置について、複数の実施形態を用いて説明したが、各実施形態を単独で構成するだけでなく、複数組み合わせて構成してもよい。
【００４２】
【発明の効果】
以上、実施形態において詳細に説明したように請求項１の発明の電気集塵装置によれば、ガス導入口とガス排出口を有する中空形状をなすケーシング内に、ガス流れ方向に沿って集塵極を配設すると共に、集塵極に対向して集塵極のほぼ全域にわたって放電極を配設したので、放電極と集塵極との全領域でコロナ放電されることとなり、排ガス中の粒子状物質を確実に帯電して集塵極で捕集することができ、粉塵濃度の低い排ガスであっても含有する粒子状物質を確実に捕集して捕集性能を向上することができる。
【００４３】
請求項２の発明の電気集塵装置によれば、放電極を棒状電極に複数の針状突起を取付けて構成したので、簡単な構成で集塵極に対向する集塵極のほぼ全域にわたって放電極を配設することができる。
【００４４】
請求項３の発明の電気集塵装置によれば、集塵極と放電極とから構成される集塵部を、ケーシング内にガス流れ方向に沿って複数所定間隔で配設したので、排ガス中の粒子状物質を複数回処理して捕集することができ、捕集性能を向上することができる。
【００４５】
請求項４の発明の電気集塵装置によれば、ガス流れ方向下流側の集塵部における集塵極と放電極の間隔を、ガス流れ方向上流側の集塵部における集塵極と放電極の間隔より小さく設定したので、上流側の集塵部で捕集できなかった粒子状物質を下流側の集塵部で確実に捕集することができる。
【００４６】
請求項５の発明の電気集塵装置によれば、ガス流れ方向上流側の集塵部における集塵極及び放電極と、ガス流れ方向下流側の集塵部における集塵極及び放電極とを、ガス流れ方向に交差する方向にずらして配設したので、上流側の集塵部で捕集できなかった粒子状物質が下流側の集塵部の近傍を浮遊することとなり、粒子状物質わ確実に捕集することができる。
【００４７】
請求項６の発明の電気集塵装置によれば、集塵極と放電極とから構成される集塵部のガス流れ方向上流側に予備荷電部を設けたので、排ガス中の粒子状物質を予備荷電することで、帯電した粒子状物質を確実に捕集することができる。
【００４８】
請求項７の発明の電気集塵装置によれば、予備荷電部は、ガス流れ方向にほぼ直交する方向に配設されたメッシュ状集塵極と、メッシュ状集塵極のガス流れ方向上流側に配設された放電極とを有するので、簡単な構成で排ガス中の粒子状物質を適正に予備荷電することができる。
【００４９】
請求項８の発明の電気集塵装置によれば、集塵極と放電極とから構成される集塵部のガス流れ方向下流側に再捕集部を設けたので、排ガス中に残留した粒子状物質を再荷電することで、帯電した排ガス中の粒子状物質を確実に捕集することができる。
【００５０】
請求項９の発明の電気集塵装置によれば、再捕集部は、ガス流れ方向にほぼ直交する方向に配設されたメッシュ状集塵極と、メッシュ状集塵極のガス流れ方向下流側に配設された放電極とを有するので、簡単な構成で排ガス中の粒子状物質のすり抜けを確実に防止することができる。
【００５１】
請求項１０の発明の電気集塵装置によれば、放電極にガス流れ方向に所定間隔をもって複数の第１放電部を設ける一方、集塵極の第１放電部に対向しない位置にガス流れ方向に所定間隔をもって複数の第２放電部を設けたので、帯電した粒子状物質を蛇行させることで、粒子状物質同志の衝突凝集効果を高めることで、粉塵濃度の低い排ガスであっても含有する粒子状物質を確実に捕集して捕集性能を向上することができる。
【図面の簡単な説明】
【図１】本発明の第１実施形態に係る電気集塵装置の概略構成図である。
【図２】第１実施形態の電気集塵装置の作用を表す説明図である。
【図３】本発明の第２実施形態に係る集塵装置の概略構成図である。
【図４】本発明の第３実施形態に係る集塵装置の概略構成図である。
【図５】本発明の第４実施形態に係る集塵装置の概略構成図である。
【図６】本発明の第５実施形態に係る集塵装置の概略構成図である。
【図７】本発明の第６実施形態に係る集塵装置の概略構成図である。
【図８】本発明の第７実施形態に係る集塵装置の概略構成図である。
【符号の説明】
１１  ケーシング
１２  ガス導入口
１３  ガス排出口
１４，５１  第１集塵部
１５，５２  第２集塵部
１６，２０，５３，５５  集塵極
１７，２１，２４，５６  放電極
２４  高圧電源
３１  予備荷電部
４１  再捕集部
【図１】
2004160286.tif 000003
【図２】
2004160286.tif 000004
【図３】
2004160286.tif 000005
【図４】
2004160286.tif 000006
【図５】
2004160286.tif 000007
【図６】
2004160286.tif 000008
【図７】
2004160286.tif 000009
【図８】
2004160286.tif 000010